(57)【特許請求の範囲】
【請求項１】
対物レンズを通るレーザビームにより光ディスク上に情報の記録、再生又は消去用のメインスポットを形成するとともに、このメインスポットの他に、トラッキングエラー信号を得るための２つのサブスポットを前記メインスポットに対してトラックピッチｂの１／２ずれた位置に形成し、前記光ディスクからのこれらの３スポットの反射ビームを受光部で受光し各々のプッシュプル信号を検出してその差動をとることにより前記トラッキングエラー信号を検出する差動プッシュプル方式を用いて、トラックピッチｂの溝のある光ディスク面にスポットをトラッキングする光ピックアップ装置において、
前記光ディスク面に集光したメインスポットとサブスポットのスポット間隔ａが、
−１２．５×ｂ≦ａ≦１２．５×ｂ  （但し、｜ｂ｜≦｜ａ｜）
を満たすように設定されていることを特徴とする光ピックアップ装置。
【請求項２】
前記光ディスクのトラックピッチｂCDは１．６［μｍ］であり、前記スポット間隔ａCDは
−２０［μｍ］≦ａCD≦２０［μｍ］  （但し、１．６≦｜ａCD｜）
を満たすように設定されていることを特徴とする請求項１記載の光ピックアップ装置。
【請求項３】
前記光ディスクのトラックピッチｂDVDは０．７４［μｍ］であり、前記スポット間隔ａDVDは
−９．２５［μｍ］≦ａDVD≦９．２５［μｍ］
（但し、０．７４≦｜ａDVD｜）
を満たすように設定されていることを特徴とする請求項１記載の光ピックアップ装置。
【請求項４】
前記光ディスクのトラックピッチｂDVDは０．８［μｍ］であり、前記スポット間隔ａDVDは
−１０［μｍ］≦ａDVD≦１０［μｍ］
（但し、０．８≦｜ａDVD｜）
を満たすように設定されていることを特徴とする請求項１記載の光ピックアップ装置。
【請求項５】
対物レンズを通るレーザビームにより光ディスク上に情報の記録、再生又は消去用のメインスポットを形成するとともに、このメインスポットの他に、トラッキングエラー信号を得るための２つのサブスポットを前記メインスポットに対してトラックピッチｂの１／２ずれた位置に形成し、前記光ディスクからのこれらの３スポットの反射ビームを受光部で受光し各々のプッシュプル信号を検出してその差動をとることにより前記トラッキングエラー信号を検出する差動プッシュプル方式を用いて、トラックピッチｂの溝のある光ディスク面にスポットをトラッキングする光ピックアップ装置において、
前記光ディスク面におけるディスク中心を通るラジアル方向の直線とメインスポットとの間の距離Δを調整する機構を有し、前記距離Δが、
−１５６．０６×ｂ≦Δ≦１５６．０６×ｂ
を満たすように設定されていることを特徴とする光ピックアップ装置。
【請求項６】
前記光ディスクのトラックピッチｂCDは１．６［μｍ］であり、前記距離ΔCDは
−２５０［μｍ］≦ΔCD≦２５０［μｍ］
を満たすように設定されていることを特徴とする請求項５記載の光ピックアップ装置。
【請求項７】
前記光ディスクのトラックピッチｂDVDは０．７４［μｍ］であり、前記距離ΔDVDは
−１１５［μｍ］≦ΔDVD≦１１５［μｍ］
を満たすように設定されていることを特徴とする請求項５記載の光ピックアップ装置。
【請求項８】
前記光ディスクのトラックピッチｂDVDは０．８［μｍ］であり、前記距離ΔDVDは
−１２５［μｍ］≦ΔDVD≦１２５［μｍ］
を満たすように設定されていることを特徴とする請求項５記載の光ピックアップ装置。
【発明の詳細な説明】
【０００１】
【発明の属する技術分野】
本発明は、光ディスク（光磁気ディスクを含む）のトラッキング制御を差動プッシュプル方式により行なう光ピックアップ装置に関する。
【０００２】
【従来の技術】
一般に、光ピックアップ装置においては、記録、再生又は消去動作に際して、照射ビームを光ディスクのトラックに追従させるため、トラッキングサーボ制御が必要とされる。このトラッキングサーボ制御に供するため、トラッキングエラー信号を検出し、トラックずれを補正するようにしている。
【０００３】
このようなトラッキングエラー信号の検出方式としては、種々の方式があり、例えば、３ビーム方式やプッシュプル方式がある。しかし、３ビーム方式はディスクのトラック方向の傾きによってオフセットが生じ、プッシュプル方式はディスクのラジアル方向の傾きによってオフセットが生じるという欠点がある。
【０００４】
これらの欠点を解消した方式として、差動プッシュプル方式がある。この方式は、例えば、光メモリシンポジウム’８６，１２月１８日虎ノ門パストラル（東京）において「新しいトラッキングサーボ方式 差動プッシュプル法」により報告されている。この差動プッシュプル方式も、メインビームとサブビーム（サイドビーム）との３ビームを用いる方式であるが、サブビームのスポットの照射位置をトラックピッチの１／２だけずれた位置とし、メインビーム、サブビームの各々の反射光のプッシュプル信号を検出し、その差動をとることによりトラッキングエラー信号を検出する方式である。
【０００５】
差動プッシュプル方式を用いてトラッキングする光ディスク用の光ピックアップ装置を例にとって、その概略を説明する。光ピックアップ装置の内部構成は、照明系と検出系に分かれる。図７に示すように、半導体レーザなどの発光素子１から発せられた光は、カップリングレンズ２を透過して平行光になり、回折格子３で３つに分かれ、ビームスプリッタ４を介し、λ／４板５で円偏光になり、対物レンズ６を透過して光ディスク７に集光し、メインスポットＳM、サブスポットＳS1，ＳS2なる３スポットを形成する。以上が照明系である。
【０００６】
一方、光ディスク７からの戻り光（信号光）は、λ／４板５で往路光に対して直交する方向の直線偏光になりビームスプリッタ４で反射し、検出レンズ８を介して例えば分割構造の受光素子９で検出される。以上が検出系である。
【０００７】
図８に示すように、光ディスク面上の３スポットは、真中のメインスポットＳMをランドＬ上にトラッキングし、両サイドのサブスポットＳS1，ＳS2をグルーブＧ上にトラッキングする。つまり、サブスポットＳS1，ＳS2はメインスポットＳMに対し、ラジアル方向にトラックピッチの半分だけずらして配置される。このときのメインスポットＳMによるプッシュプル信号（ＭＰＰ）とサブスポットによるプッシュプル信号（ＳＰＰ）を検出し、その差動をとるのが差動プッシュプル（ＤＰＰ）法である。図９にこのときのプッシュプル信号を示す。
【０００８】
【発明が解決しようとする課題】
光ピックアップ装置を光ディスクドライブに組付けると、図１０に示すようにディスク中心を通るラジアル方向の直線とメインスポットＳMの間隔が、或る距離Δを持つ（つまり、メインスポットＳMのタンジェンシャル位置にずれが生じる）。このとき、距離ΔがなければメインスポットＳMの軌跡は、ディスク中心を通るラジアル方向の直線上にある。
【０００９】
しかし、距離ΔによってメインスポットＳMの軌跡は、ディスク中心を通らないラジアル方向の直線の軌跡を描いてしまう。このときのディスクの溝（トラック）は弧を描くために、ラジアル位置がディスク外周ではメインスポットＳMがランドＬ上にあり、サブスポットＳS1，ＳS2がグルーブＧ上に近い位置にあるのに対して、図１１に示すように、スポットのラジアル位置がディスク内周に近づくほど、サブスポットＳS1，ＳS2はランドＬに寄ってしまう。
【００１０】
従って、ラジアル位置が内周に近づく程、サブプッシュプル（ＳＰＰ）の振幅が低下し、この結果、差動プッシュプル振幅も低下してしまう。光（磁気）ディスクドライブでは、ディスク内周から外周にかけてスポットのラジアル位置を変えるようシークするため、シークによって差動プッシュプル振幅が変化してしまう不具合が発生する。図１２にこのときのプッシュプル信号を示す。
【００１１】
そこで、本発明は、差動プッシュプル方式でトラッキングを行なう上で、光ディスク面上のスポットのラジアル位置移動（シーク）に伴い生ずる差動プッシュプル振幅の変化を小さくできる光ピックアップ装置を提供することを目的とする。併せて、光ピックアップ装置を光ディスクドライブ装置に組付ける時のタンジェンシャル位置調整を省けるようにすることを目的とする。
【００１２】
また、本発明は、トラックピッチが１．６［μｍ］のいわゆるＣＤ系ディスクに対して、有効なスポット間隔を指定することを目的とする。
【００１３】
また、本発明は、トラックピッチが０．７４［μｍ］又は０．８［μｍ］のいわゆるＤＶＤ系ディスクに対して、有効なスポット間隔を指定することを目的とする。
【００１４】
一方、本発明は、差動プッシュプル方式でトラッキングを行なう上で、光ディスク面上のスポットのラジアル位置移動（シーク）に伴い生じる差動プッシュプル振幅の変化を小さくできる光ピックアップ装置を提供することを目的とする。併せて、光ディスク面上のスポット間隔を広くし、検出系の光路長を短くすることことを目的とする。
【００１５】
また、本発明は、トラックピッチが１．６［μｍ］のいわゆるＣＤ系ディスクに対して、有効な光ディスク中心を通るラジアル方向の直線とメインスポットとの間の距離を指定することを目的とする。
【００１６】
また、本発明は、トラックピッチが０．７４［μｍ］又は０．８［μｍ］のいわゆるＤＶＤ系ディスクに対して、有効な光ディスク中心を通るラジアル方向の直線とメインスポットとの間の距離を指定することを目的とする。
【００１７】
【課題を解決するための手段】
請求項１記載の発明は、対物レンズを通るレーザビームにより光ディスク上に情報の記録、再生又は消去用のメインスポットを形成するとともに、このメインスポットの他に、トラッキングエラー信号を得るための２つのサブスポットを前記メインスポットに対してトラックピッチｂの１／２ずれた位置に形成し、前記光ディスクからのこれらの３スポットの反射ビームを受光部で受光し各々のプッシュプル信号を検出してその差動をとることにより前記トラッキングエラー信号を検出する差動プッシュプル方式を用いて、トラックピッチｂの溝のある光ディスク面にスポットをトラッキングする光ピックアップ装置において、前記光ディスク面に集光したメインスポットとサブスポットのスポット間隔ａが、
−１２．５×ｂ≦ａ≦１２．５×ｂ  （但し、｜ｂ｜≦｜ａ｜）
を満たすように設定されている。
【００１８】
ここに、本発明及び以下の発明において、“−（マイナス）”符号は、メインスポットに対してサブスポットが２つあり、その一つがメインスポットに対して先行し他の一つがメインスポットに対して後行するため、メインスポットを中心に考えた場合、逆方向に位置（先行側に位置）するサブスポットに対する間隔等を表示することを意味する。
【００１９】
従って、光ディスク面のトラックピッチｂに対応したスポット間隔ａの範囲を上記条件を満たすように設定することで、光ディスク中心を通るラジアル方向の直線とメインスポットとの間に距離Δがあっても、光ディスク面上のスポットのラジアル位置移動（シーク）時に、サブスポットが溝の位置からずれにくくなるので、差動プッシュプル振幅の変化を小さくすることができ、このため、安定したトラッキング制御が可能となり、また、光ピックアップ装置を光ディスクドライブ装置に組付ける際、メインスポットとディスク中心を通るラジアル方向の直線との間の距離を調整する必要がないため、組付けの簡略化を図れ、調整機構を設ける必要がないため、低コスト化を図ることができる。
【００２０】
請求項２記載の発明は、請求項１記載の光ピックアップ装置において、前記光ディスクのトラックピッチｂCDは１．６［μｍ］であり、前記スポット間隔ａCDは
−２０［μｍ］≦ａCD≦２０［μｍ］  （但し、１．６≦｜ａCD｜）
を満たすように設定されている。
【００２１】
従って、現在使われているトラックピッチが１．６［μm］のいわゆるＣＤ系の光ディスクに関して、安定したトラッキング制御をすることができ、また、組付けの簡略化、低コスト化を図ることができる。
【００２２】
請求項３記載の発明は、請求項１記載の光ピックアップ装置において、前記光ディスクのトラックピッチｂDVDは０．７４［μｍ］であり、前記スポット間隔ａDVDは
−９．２５［μｍ］≦ａDVD≦９．２５［μｍ］
（但し、０．７４≦｜ａDVD｜）
を満たすように設定されている。
【００２３】
従って、現在使われているトラックピッチが０．７４［μm］のいわゆるＤＶＤ系の光ディスクに関して、安定したトラッキング制御をすることができ、また、組付けの簡略化、低コスト化を図ることができる。
【００２４】
請求項４記載の発明は、請求項１記載の光ピックアップ装置において、前記光ディスクのトラックピッチｂDVDは０．８［μｍ］であり、前記スポット間隔ａDVDは
−１０［μｍ］≦ａDVD≦１０［μｍ］
（但し、０．８≦｜ａDVD｜）
を満たすように設定されている。
【００２５】
従って、現在使われているトラックピッチが０．８［μm］のいわゆるＤＶＤ系の光ディスクに関して、安定したトラッキング制御をすることができ、また、組付けの簡略化、低コスト化を図ることができる。
【００２６】
請求項５記載の発明は、対物レンズを通るレーザビームにより光ディスク上に情報の記録、再生又は消去用のメインスポットを形成するとともに、このメインスポットの他に、トラッキングエラー信号を得るための２つのサブスポットを前記メインスポットに対してトラックピッチｂの１／２ずれた位置に形成し、前記光ディスクからのこれらの３スポットの反射ビームを受光部で受光し各々のプッシュプル信号を検出してその差動をとることにより前記トラッキングエラー信号を検出する差動プッシュプル方式を用いて、トラックピッチｂの溝のある光ディスク面にスポットをトラッキングする光ピックアップ装置において、記光ディスク面におけるディスク中心を通るラジアル方向の直線とメインスポットとの間の距離Δを調整する機構を有し、前記距離Δが、
−１５６．０６×ｂ≦Δ≦１５６．０６×ｂ
を満たすように設定されている。
【００２７】
従って、光ディスク中心を通るラジアル方向の直線とメインスポットとの間の距離Δの範囲を上記の条件を満たすように設定することで、光ディスク面上のスポットのラジアル位置移動（シーク）時に、サブスポットが溝の位置からずれにくくなるので、差動プッシュプル振幅の変化を小さすることができ、このため、安定したトラッキング制御が可能となり、また、スポット間隔を広くできるので、検出系の光路長を短くすることができ、このため、ピックアップを小型化することができる。
【００２８】
請求項６記載の発明は、請求項５記載の光ピックアップ装置において、前記光ディスクのトラックピッチｂCDは１．６［μｍ］であり、前記距離ΔCDは
−２５０［μｍ］≦ΔCD≦２５０［μｍ］
を満たすように設定されている。
【００２９】
従って、現在使われているトラックピッチが１．５［μm］のいわゆるＣＤ系の光ディスクに関して、安定したトラッキング制御をすることができ、また、光ピックアップの小型化を図ることができる。
【００３０】
請求項７記載の発明は、請求項５記載の光ピックアップ装置において、前記光ディスクのトラックピッチｂDVDは０．７４［μｍ］であり、前記距離ΔDVDは
−１１５［μｍ］≦ΔDVD≦１１５［μｍ］
を満たすように設定されている。
【００３１】
従って、現在使われているトラックピッチが０．７４［μm］のいわゆるＤＶＤ系の光ディスクに関して、安定したトラッキング制御をすることができ、また、光ピックアップの小型化を図ることができる。
【００３２】
請求項８記載の発明は、請求項５記載の光ピックアップ装置において、前記光ディスクのトラックピッチｂDVDは０．８［μｍ］であり、前記距離ΔDVDは
−１２５［μｍ］≦ΔDVD≦１２５［μｍ］
を満たすように設定されている。
【００３３】
従って、現在使われているトラックピッチが０．８［μm］のいわゆるＤＶＤ系の光ディスクに関して、安定したトラッキング制御をすることができ、また、光ピックアップの小型化を図ることができる。
【００３４】
【発明の実施の形態】
本発明の第一の実施の形態を図１ないし図３に基づいて説明する。なお、差動プッシュプル方式を用いてトラッキングする光ディスク用の光ピックアップ装置自体の構成は図６に示した構成をそのまま用いるものとする（次の実施の形態でも同様とする）。
【００３５】
まず、本発明で課題としている光ディスク７面上のスポットのラジアル位置移動（シーク）に伴い生じる差動プッシュプル振幅の変化をγ［％］で表すものとする。光ディスク７内周における差動プッシュプル振幅をＩin、光ディスク７外周における振幅をＩoutとすると、変化率γは（１）式で表せる。
【００３６】
γ［％］＝｛（Ｉout−Ｉin）／Ｉout｝×１００  ……（１）
例えば、スポット間隔２０［μｍ］の差動プッシュプル法でトラッキングする光ピックアップが、ディスク中心を通るラジアル方向の直線とメインスポットとの間の距離Δ＝０．２５［ｍｍ］で光ディスクドライブ装置に組付けられていたとする。このとき、直径１２［ｃｍ］、トラックピッチｂの光ディスク７をトラッキングすると、差動プッシュプルの振幅変化率γは図１のようになる。トラックピッチが狭くなるほど、差動プッシュプルの振幅変化率γは高くなる。これは、光ディスク７のトラックピッチｂが狭くなると、図１１で説明したように、ランドＬとグルーブＧとが近づくために、サブスポットＳS1，ＳS2はランドＬに寄りやすくなってしまうからである。そのために差動プッシュプルの振幅変化率γは高くなる。
【００３７】
このとき、メインスポットＳMとサブスポットＳS1，ＳS2のスポット間隔ａを狭くすると、光ディスク７内周におけるディスク弧の影響は小さくなる。従って、スポットのラジアル位置移動（シーク）による差動プッシュプル振幅の変化を小さくすることができる。当該光ピックアップ装置がディスク中心を通るラジアル方向の直線とメインスポットとの間の距離Δ＝０．２５［ｍｍ］で光ディスクドライブ装置に組付いている時に、トラックピッチｂ＝０．７４［μm］の光ディスク７をトラッキングする際の、スポット間隔ａと差動プッシュプルの振幅変化γの関係をシミュレートした結果を図２に示す。スポット間隔ａを狭くするほど差動プッシュプルの振幅変化γが小さくなるのが分かる。
【００３８】
そこで、本実施の形態では、基本的に、光ディスク７のトラックピッチｂに応じてスポット間隔ａを狭くすることで、光ディスク７中心を通るラジアル方向の直線とメインスポットＳMとの間に距離Δがある時の、光ディスク７面上のスポットのラジアル位置移動（シーク）に伴い生じる差動プッシュプル振幅の変化率γを一定値以下に抑えることができるようにしたものである。このとき、スポット間隔ａを狭くするだけで、差動プッシュプルの振幅変化γを小さくすることができるため、光ディスク７中心を通るラジアル方向の直線とメインスポットとの間の距離Δを調整する必要がない。
【００３９】
具体的に、光ディスク７の直径を１２［ｃｍ］、距離Δ＝０．２５［ｍｍ］、目標変化率γ＝２０［％］としたときのトラックピッチｂに応じた最適なスポット間隔ａの範囲をシミュレートした結果を図３に示す。トラックピッチｂの狭い光ディスク７を使用すると、スポット間隔ａを狭く設定しなければならないのが分かる。図３に示す結果によれば、スポット間隔ａを、
−１２．５×ｂ≦ａ≦１２．５×ｂ  （但し、｜ｂ｜≦｜ａ｜）
を満たすように設定すればよいといえる。
【００４０】
図３に示す結果によれば、具体的には、例えばＣＤ−ＲＯＭ／Ｒ／ＲＷメディアのようないわゆるＣＤ系のようにトラックピッチｂCD＝１．６［μm］の光ディスク７に対しては、有効なスポット間隔ａCDとして、
−２０［μｍ］≦ａCD≦２０［μｍ］  （但し、１．６≦｜ａCD｜）
を満たすように設定すればよいことが分かる。
【００４１】
同様に、例えばＤＶＤ−ＲＯＭ／Ｒ／ＲＷメディア（４．７ＧＢ）のようないわゆるＤＶＤ系のようにトラックピッチｂDVDが０．７４［μｍ］の光ディスク７に対しては、有効なスポット間隔ａDVDとして、
−９．２５［μｍ］≦ａDVD≦９．２５［μｍ］
（但し、０．７４≦｜ａDVD｜）
を満たすように設定すればよいことが分かる。
【００４２】
なお、３．９５ＧＢのＤＶＤメディアでは、トラックピッチｂDVDが０．８［μｍ］、最適なスポット間隔ａDVDは１０［μm］以下となる。即ち、
−１０［μｍ］≦ａDVD≦１０［μｍ］
（但し、０．８≦｜ａDVD｜）
を満たすように設定すればよい。
【００４３】
また、光ディスク７は今後益々大容量化に伴い、情報量を増すために光ディスク７のトラックピッチｂが狭くなることが予想される。例えば、ＣＤではトラックピッチｂCDが１０．６［μm］だったものが、ＤＶＤでは０．７４［μm］になっている。さらに大容量のＳＤＶＤではトラックピッチｂがもっと狭くなると予想される。このようにトラックピッチｂが狭くなると、図１の結果よりさらに狭いスポット間隔ａが要求される。
【００４４】
表１に代表的なトラックピッチｂとスポット間隔ａの数値を挙げておく。
【００４５】
【表１】
0003983470.tif 000002
【００４６】
ちなみに、メインスポットＳMとサブスポットＳS1，ＳS2のスポット間隔ａは、回折格子３の格子間隔と照明系の倍率で変えることができる。
【００４７】
本発明の第二の実施の形態を図４ないし図６に基づいて説明する。本実施の形態では、本発明の課題の原因である光ディスク７中心を通るラジアル方向の直線とメインスポットＳMとの間の距離Δそのものを調整作業を導入することで小さくすると、光ディスク７内周におけるディスク弧の影響を小さくできることにより、スポットのラジアル位置移動（シーク）による差動プッシュプル振幅の変化を小さくすることができるようにしたものである。トラックピッチｂ＝０．７４［μm］の光ディスク７をトラッキングするときの、光ディスク７面上のスポット間隔ａを２０［μm］とした場合に、距離Δと差動プッシュプルの振幅変化γの関係をシミュレートした結果を図４に示す。図４によれば、距離Δを小さく調整するほど差動プッシュプルの振幅変化γが小さくなるのが分かる。
【００４８】
そこで、本実施の形態では、光ディスク７のトラックピッチｂに応じてディスク中心を通るラジアル方向の直線とメインスポットＳMとの間の距離Δを小さくすることで、光ディスク７面上のスポットのラジアル位置移動（シーク）に伴い生じる差動プッシュプル振幅の変化率γを一定値以下に抑えるようにしたものである。このとき、スポット間隔ａを広く取れるため、検出系の倍率を低くすることができる。また、検出系の光路長を短くすることができるので、光ピックアップを小型化することができる。光ディスク７の直径を１２［ｃｍ］、スポット間隔ａを２０［μm］、目標変化率γを２０［%］としたときの、トラックピッチｂに応じたディスク中心を通るラジアル方向の直線とメインスポットＳMとの間の距離Δをシミュレートした結果を図５に示す。トラックピッチｂの狭い光ディスク７を使用すると、距離Δを小さく調整する必要があるのが分かる。図５に示す結果によれば、光ディスク７面におけるディスク中心を通るラジアル方向の直線とメインスポットＳMとの間の距離Δが、
−１５６．０６×ｂ≦Δ≦１５６．０６×ｂ
を満たすように設定すればよいことが分かる。
【００４９】
図５に示す結果によれば、具体的には、例えばＣＤ−ＲＯＭ／Ｒ／ＲＷメディアのようないわゆるＣＤ系のようにトラックピッチｂが１．６［μm］の光ディスク７に対しては、有効な光ディスク７中心を通るラジアル方向の直線とメインスポットＳMとの間の距離ΔCDとしては、
−２５０［μｍ］≦ΔCD≦２５０［μｍ］
を満たすように設定すればよいことが分かる。
【００５０】
同様に、例えばＤＶＤ−ＲＯＭ／Ｒ／ＲＷメディア（４．７ＧＢ）のようないわゆるＤＶＤ系のようにトラックピッチｂDVDが０．７４［μｍ］の光ディスク７に対しては、有効な光ディスク７中心を通るラジアル方向の直線とメインスポットＳMとの間の距離ΔDVDとしては、
−１１５［μｍ］≦ΔDVD≦１１５［μｍ］
を満たすように設定すればよいことが分かる。
【００５１】
なお、３．９５ＧＢのＤＶＤメディアでは、トラックピッチｂDVDが０．８［μｍ］、最適な距離ΔDVDは１２５［μm］以下が望ましい。即ち、
−１２５［μｍ］≦ΔDVD≦１２０［μｍ］
を満たすように設定すればよい。
【００５２】
表２に代表的なトラックピッチｂと有効な光ディスク７中心を通るラジアル方向の直線とメインスポットＳMとの間の距離Δの数値を挙げておく。
【００５３】
【表２】
0003983470.tif 000003
【００５４】
ところで、例えば光ディスクドライブ装置では、光ディスク７中心を通るラジアル方向の直線とメインスポットＳMの距離Δを調整するには、光ディスク７をタンジェンシャル方向に調整する方法と、光ピックアップ装置をタンジェンシャル方向に調整する方法との２通りが考えられる。光ディスク７をタンジェンシャル方向に調整するには、図６に示すように光ディスク７を取り付けるスピンドルモータ１０をタンジェンシャル方向に調整する機構（図示せず）を設けるのが良い。図中、１１はシークレール１２に沿って半径方向に往復駆動される光ピックアップ装置である。また、光ピックアップ装置１１自身を調整するには、光ピックアップ装置１１を取り付けるシークレール１２毎にタンジェンシャル方向に調整する機構を設けるか、シークレールに光ピックアップ装置を取り付ける際にタンジェンシャル方向に調整する機構を設けるか、或いは、対物レンズ６だけタンジェンシャル方向に調節する機構を設ければ良い。
【００５５】
【発明の効果】
請求項１記載の発明によれば、光ディスク面に集光したメインスポットとサブスポットのスポット間隔ａが、トラックピッチｂとの関係で、
−１２．５×ｂ≦ａ≦１２．５ｂ  （但し、｜ｂ｜≦｜ａ｜）
を満たすように設定することで、光ディスク中心を通るラジアル方向の直線とメインスポットとの間に距離Δがあっても、光ディスク面上のスポットのラジアル位置移動（シーク）時に、サブスポットが溝の位置からずれにくくなるので、差動プッシュプル振幅の変化を小さくすることができ、このため、安定したトラッキング制御が可能となり、また、光ピックアップ装置を光ディスクドライブ装置に組付ける際、メインスポットとディスク中心を通るラジアル方向の直線との間の距離を調整する必要がないため、組付けの簡略化を図れ、調整機構を設ける必要がないため、低コスト化を図ることができる。
【００５６】
請求項２記載の発明によれば、請求項１記載の光ピックアップ装置において、光ディスクのトラックピッチｂCDは１．６［μｍ］であり、スポット間隔ａCDは
−２０［μｍ］≦ａCD≦２０［μｍ］  （但し、１．６≦｜ａCD｜）
を満たすように設定されているので、現在使われているトラックピッチが１．６［μm］のいわゆるＣＤ系の光ディスクに関して、安定したトラッキング制御をすることができ、また、組付けの簡略化、低コスト化を図ることができる。
【００５７】
請求項３記載の発明によれば、請求項１記載の光ピックアップ装置において、光ディスクのトラックピッチｂDVDは０．７４［μｍ］であり、スポット間隔ａDVDは
−９．２５［μｍ］≦ａDVD≦９．２５［μｍ］
（但し、０．７４≦｜ａDVD｜）
を満たすように設定されているので、現在使われているトラックピッチが０．７４［μm］のいわゆるＤＶＤ系の光ディスクに関して、安定したトラッキング制御をすることができ、また、組付けの簡略化、低コスト化を図ることができる。
【００５８】
請求項４記載の発明によれば、請求項１記載の光ピックアップ装置において、光ディスクのトラックピッチｂDVDは０．８［μｍ］であり、スポット間隔ａDVDは
−１０［μｍ］≦ａDVD≦１０［μｍ］
（但し、０．８≦｜ａDVD｜）
を満たすように設定されているので、現在使われているトラックピッチが０．８［μm］のいわゆるＤＶＤ系の光ディスクに関して、安定したトラッキング制御をすることができ、また、組付けの簡略化、低コスト化を図ることができる。
【００５９】
請求項５記載の発明によれば、光ディスク面におけるディスク中心を通るラジアル方向の直線とメインスポットとの間の距離Δを調整する機構を有し、距離Δが、
−１５６．０６×ｂ≦Δ≦１５６．０６×ｂ
を満たすように設定されているので、光ディスク面上のスポットのラジアル位置移動（シーク）時に、サブスポットが溝の位置からずれにくくなるので、差動プッシュプル振幅の変化を小さすることができ、このため、安定したトラッキング制御が可能となり、また、スポット間隔を広くできるので、検出系の光路長を短くすることができ、このため、ピックアップを小型化することができる。
【００６０】
請求項６記載の発明によれば、請求項５記載の光ピックアップ装置において、光ディスクのトラックピッチｂCDは１．６［μｍ］であり、距離ΔCDは
−２５０［μｍ］≦ΔCD≦２５０［μｍ］
を満たすように設定されているので、現在使われているトラックピッチが１．５［μm］のいわゆるＣＤ系の光ディスクに関して、安定したトラッキング制御をすることができ、また、光ピックアップの小型化を図ることができる。
【００６１】
請求項７記載の発明によれば、請求項５記載の光ピックアップ装置において、光ディスクのトラックピッチｂDVDは０．７４［μｍ］であり、距離ΔDVDは
−１１５［μｍ］≦ΔDVD≦１１５［μｍ］
を満たすように設定されているので、現在使われているトラックピッチが０．７４［μm］のいわゆるＤＶＤ系の光ディスクに関して、安定したトラッキング制御をすることができ、また、光ピックアップの小型化を図ることができる。
【００６２】
請求項８記載の発明によれば、請求項５記載の光ピックアップ装置において、光ディスクのトラックピッチｂDVDは０．８［μｍ］であり、距離ΔDVDは
−１２５［μｍ］≦ΔDVD≦１２５［μｍ］
を満たすように設定されているので、現在使われているトラックピッチが０．８［μm］のいわゆるＤＶＤ系の光ディスクに関して、安定したトラッキング制御をすることができ、また、光ピックアップの小型化を図ることができる。
【図面の簡単な説明】
【図１】本発明の第一の実施の形態に関して光ディスク中心を通るラジアル方向の直線とメインスポットがずれているときのトラックピッチと差動プッシュプルの振幅変化率との関係を示すグラフである。
【図２】光ディスク中心を通るラジアル方向の直線とメインスポットがずれているときのスポット間隔と差動プッシュプルの振幅変化率との関係を示すグラフである。
【図３】光ディスク中心を通るラジアル方向の直線とメインスポットがずれているときのトラックピッチと最適なスポット間隔の関係を示すグラフである。
【図４】本発明の第二の実施の形態に関して光ディスク中心を通るラジアル方向の直線とメインスポットとの間の距離と差動プッシュプルの振幅変化率との関係を示すグラフである。
【図５】トラックピッチと最適な光ディスク中心を通るラジアル方向の直線とメインスポットとの間の距離の関係を示すグラフである。
【図６】光ピックアップ装置を光ディスクドライブに組付けるときのタンジェンシャル位置調整方法を示す概略平面図である。
【図７】差動プッシュプル方式を用いた一般的な光ピックアップ装置を示す光学的構成図である。
【図８】光ディスク面上の３スポットの結像位置の様子を示す斜視図である。
【図９】そのプッシュプル信号を示す説明図である。
【図１０】光ディスク中心を通るラジアル方向の直線とメインスポットがずれているときの光ディスク面のスポットラジアル位置関係を示す平面図的な説明図である。
【図１１】光ディスク中心を通るラジアル方向の直線とメインスポットがずれているときの光ディスク内周における３スポットの様子を示す斜視図である。
【図１２】光ディスク中心を通るラジアル方向の直線とメインスポットがずれているときの光ディスク内周でのプッシュプル信号を示す説明図である。
【符号の説明】
６      対物レンズ
７      光ディスク
９      受光部
ＳM       メインスポット
ＳS1，ＳS2      サブスポット
【図１】
0003983470.tif 000004
【図２】
0003983470.tif 000005
【図３】
0003983470.tif 000006
【図４】
0003983470.tif 000007
【図５】
0003983470.tif 000008
【図６】
0003983470.tif 000009
【図７】
0003983470.tif 000010
【図８】
0003983470.tif 000011
【図９】
0003983470.tif 000012
【図１０】
0003983470.tif 000013
【図１１】
0003983470.tif 000014
【図１２】
0003983470.tif 000015